(57)【要約】【課題】利用者の場所や時刻に応じた検索結果を提示する。【解決手段】移動体端末１が、検索キーワードの入力を受け、（１１）その検索キーワードの入力に関する時刻もしくは時間を取得し（１２）、その検索キーワード入力に関する位置を取得する（１３）。次に、その時刻もしくは時間，位置を有する文字入力状況と検索キーワードをサーバ２に送信する（１４）。次に、サーバ２が、前記文字入力状況と検索キーワードを受信し（２１）、前記文字入力状況に基づき、利用者データ管理部３１を使って目的志向度を算出し、設定する（２２）。次に、前記検索キーワードを使ってネットワーク上のサイトを検索し、検索結果を取得する（２３）。そして、前記設定した目的志向度に応じて検索結果を変換し、該変換された検索結果を移動体端末１に送信する（２４）。【選択図】図１
2009110466.tif 000002
【特許請求の範囲】
【請求項１】
ユーザの検索する検索キーワードを入力する検索キーワード入力部，検索キーワードの入力に関する時刻もしくは時間を取得するキーワード入力時間測定部，ユーザの検索キーワード入力に関する位置を取得するキーワード入力場所獲得部，該キーワード入力時間測定部とキーワード入力場所獲得部によって取得する情報を有する文字入力状況と検索キーワードを送信する検索情報送信部，検索結果を受信する検索結果受信部，検索結果を提示する検索結果提示部を備える移動体端末を有し、
該文字入力状況と検索キーワードを受信する検索情報受信部，ユーザの検索の目的が明確であるかを示す数値である目的志向度を算出する目的志向度算出部，該検索キーワードを使ってネットワーク上のサイトを検索し、検索結果を取得する検索部，該検索結果を送信する検索結果送信部，サイト検索で使用するデータを管理するサイト検索サービス用データ管理部を備え、
さらに、該サイト検索サービス用データ管理部が、
利用者に関する情報である利用者の位置，平均入力時間を格納し管理する利用者データ管理部，
検索キーワードに関する情報である検索キーワード，分類を有する検索語データを格納し管理する検索語データ管理部
を備えるサイト検索サービス用サーバを有し、
該移動体端末が、該文字入力状況と検索キーワードを該サイト検索サービス用サーバにネットワークを介して送信し、該サイト検索サービス用サーバが、その検索キーワードに応じて、ネットワークを検索した検索結果を該移動体端末に送信し、該検索結果を該移動体端末が提示するシステム
に使用するサイト検索結果提示方法であって、
前記検索キーワード入力部が、前記検索キーワードの入力を受ける検索キーワード入力ステップと、
前記キーワード入力時間測定部が、前記検索キーワードの入力に関する時刻もしくは時間を取得するキーワード入力時間測定ステップと、
前記キーワード入力場所獲得部が、前記検索キーワードの入力に関する位置を取得するキーワード入力場所獲得ステップと、
前記検索情報送信部が、文字入力状況と前記検索キーワードを前記サイト検索サービス用サーバに送信する検索情報送信ステップと、
前記検索情報受信部が、前記文字入力状況と検索キーワードを受信する検索情報受信ステップと、
前記目的志向度算出部が、前記文字入力状況に基づいて、目的志向度を算出し、設定する目的志向度算出ステップと、
前記検索部が、前記検索キーワードを使ってネットワーク上のサイトを検索し、検索キーワードを含む電子文書を格納するＷｅｂサイトに関する情報の一覧である検索結果を取得する検索ステップと、
前記検索結果送信部が、前記設定した目的志向度に応じて検索結果を変換し、該変換された検索結果を前記移動体端末に送信する検索結果送信ステップと、
を有することを特徴とする検索結果提示方法。
【請求項２】
請求項１に記載の検索結果提示方法において、
前記キーワード入力時間測定ステップが、
前記キーワード入力時間測定部が、前記サイト検索サービス用サーバにアクセスした開始時刻を取得するステップと、
前記キーワード入力時間測定部が、前記検索キーワードを前記サイト検索サービス用サーバに送信した送信時刻を取得するステップと、
を有し、
前記キーワード入力場所獲得ステップが、
前記キーワード入力場所獲得部が、前記サイト検索サービス用サーバにアクセスした開始位置を取得するステップと、
前記キーワード入力場所獲得部が、前記検索キーワードを前記サイト検索サービス用サーバに送信した送信位置を取得するステップと、
を有し、
前記検索情報送信ステップが、
前記検索情報送信部が、前記開始位置，前記開始時刻，前記送信位置，前記送信時刻を含む文字入力状況と前記検索キーワードを前記サイト検索サービス用サーバに送信するステップ、
を有し、
前記目的志向度算出ステップが、
目的志向度算出部が、前記利用者データ管理部に格納された利用者の位置と前記開始位置を比較し、
それらが等しい場合、目的志向度を目的志向度が低いことを示す値に設定し、
それらが等しくない場合、開始時刻と送信時刻の差分を計算し、該差分を前記利用者データ管理部に格納された利用者の平均入力時間と比較し、
その差分が該平均入力時間より長い場合に、目的志向度を目的志向度が低いことを示す値に設定し、
その差分が該平均入力時間より短いか、等しい場合に、目的志向度を目的志向度が高いことを示す値と設定するステップ、
を有する
ことを特徴とする検索結果提示方法。
【請求項３】
請求項１または２に記載の検索結果提示方法において、
前記検索結果送信ステップが、
前記検索結果送信部が、目的志向度算出ステップで設定された目的志向度と、前記受信した検索キーワードと検索語データ管理部の検索キーワードに一致する分類と、の組み合わせに応じて、前記検索結果において、前記Ｗｅｂサイトに関する情報の提示順序を変換するステップ、
を有する
ことを特徴とする検索結果提示方法。
【請求項４】
ユーザの検索する検索キーワードを入力する検索キーワード入力部，検索キーワードの入力に関する時刻もしくは時間を取得するキーワード入力時間測定部，ユーザの検索キーワード入力に関する位置を取得するキーワード入力場所獲得部，該キーワード入力時間測定部とキーワード入力場所獲得部によって取得する情報を有する文字入力状況と検索キーワードを送信する検索情報送信部，検索結果を受信する検索結果受信部，検索結果を提示する検索結果提示部を備える移動体端末を有し、
該文字入力状況と検索キーワードを受信する検索情報受信部，ユーザの検索の目的が明確であるかを示す数値である目的志向度を算出する目的志向度算出部，該検索キーワードを使ってネットワーク上のサイトを検索し、検索結果を取得する検索部，該検索結果を送信する検索結果送信部，サイト検索で使用するデータを管理するサイト検索サービス用データ管理部を備え、
さらに、該サイト検索サービス用データ管理部が、
利用者に関する情報である利用者の位置，平均入力時間を格納し管理する利用者データ管理部，
検索キーワードに関する情報である検索キーワード，分類を有する検索語データを格納し管理する検索語データ管理部，
検索キーワードの分類を示す検索語カテゴリ，時間，位置，目的志向度を有する目的志向度データを格納し管理する目的志向度データ管理部
を備えるサイト検索サービス用サーバを有し、
該移動体端末が、該文字入力状況と検索キーワードを該サイト検索サービス用サーバにネットワークを介して送信し、該サイト検索サービス用サーバが、その検索キーワードに応じて、ネットワークを検索した検索結果を該移動体端末に送信し、該検索結果を該移動体端末が提示するシステム
に使用するサイト検索結果提示方法であって、
前記検索キーワード入力部が、前記検索キーワードの入力を受ける検索キーワード入力ステップと、
前記キーワード入力時間測定部が、前記検索キーワードの入力に関する時刻もしくは時間を取得するキーワード入力時間測定ステップと、
前記キーワード入力場所獲得部が、前記検索キーワード入力に関する位置を取得するキーワード入力場所獲得ステップと、
前記検索情報送信部が、文字入力状況と前記検索キーワードを前記サイト検索サービス用サーバに送信する検索情報送信ステップと、
前記検索情報受信部が、前記文字入力状況と検索キーワードを受信する検索情報受信ステップと、
前記目的志向度算出部が、前記文字入力状況に基づいて、目的志向度を算出し、設定する目的志向度算出ステップと、
前記検索部が、前記検索キーワードを使ってネットワーク上のサイトを検索し、検索キーワードを含む電子文書を格納するＷｅｂサイトに関する情報の一覧である検索結果を取得する検索ステップと、
前記検索結果送信部が、前記算出した目的志向度に応じて検索結果を変換し、該変換された検索結果を前記移動体端末に送信する検索結果送信ステップと、
さらに、
前記キーワード入力時間測定ステップが、
前記キーワード入力時間測定部が、前記サイト検索サービス用サーバにアクセスした開始時刻を取得するステップと、
前記キーワード入力時間測定部が、前記検索キーワードを前記サイト検索サービス用サーバに入力した入力時刻を取得するステップと、
を有し、
前記キーワード入力場所獲得ステップが、
前記キーワード入力場所獲得部が、前記サイト検索サービス用サーバにアクセスした開始位置を取得するステップと、
前記キーワード入力場所獲得部が、前記検索キーワードを前記サイト検索サービス用サーバに入力した入力位置を取得するステップと、
を有し、
前記検索情報送信ステップが、
前記検索情報送信部が、前記開始位置，前記開始時刻，前記入力位置，前記入力時刻を含む文字入力状況と前記検索キーワードを前記サイト検索サービス用サーバに送信するステップ、
を有し、
前記目的志向度算出ステップが、
目的志向度算出部が、前記利用者データ管理部に格納された利用者の位置と入力位置に基づいて、前記移動体端末の現在位置を特定し、
前記検索キーワードの分類を検索語データ管理部を使った一致検索によって取得し、取得した分類，入力時刻，現在位置を、目的志向度データ管理部を使って一致検索し、その検索された結果に含まれる目的志向度データ管理部の目的志向度を目的志向度と設定するステップ、
を有する
ことを特徴とするサイト検索結果提示方法。
【請求項５】
ユーザの検索する検索キーワードを入力する検索キーワード入力部，検索キーワードの入力に関する時刻もしくは時間を取得するキーワード入力時間測定部，ユーザの検索キーワード入力に関する位置を取得するキーワード入力場所獲得部，該キーワード入力時間測定部とキーワード入力場所獲得部によって取得する情報を有する文字入力状況と検索キーワードを送信する検索情報送信部，検索結果を受信する検索結果受信部，検索結果を提示する検索結果提示部を備える移動体端末を有し、
該文字入力状況と検索キーワードを受信する検索情報受信部，ユーザの検索の目的が明確であるかを示す数値である目的志向度を算出する目的志向度算出部，該検索キーワードを使ってネットワーク上のサイトを検索し、検索結果を取得する検索部，該検索結果を送信する検索結果送信部，サイト検索で使用するデータを管理するサイト検索サービス用データ管理部，該サイト検索サービス用データ管理部を管理するサイト検索サービス用データベース管理部を備え、
さらに、該サイト検索サービス用データ管理部が、
利用者に関する情報である利用者の位置，平均入力時間を格納し管理する利用者データ管理部，
検索キーワードに関する情報である検索キーワード，分類を有する検索語データを格納し管理する検索語データ管理部，
検索キーワードの分類を示す検索語カテゴリ，時間，位置，目的志向度を有する目的志向度データを格納し管理する目的志向度データ管理部，
ユーザの検索行動に関する履歴情報である検索キーワード，入力時刻，入力位置，目的志向度を有する検索行動履歴データを格納し管理する検索行動履歴データ管理部
を備えるサイト検索サービス用サーバを有し、
該移動体端末が、該文字入力状況と検索キーワードを該サイト検索サービス用サーバにネットワークを介して送信し、該サイト検索サービス用サーバが、その検索キーワードに応じて、ネットワークを検索した検索結果を該移動体端末に送信し、該検索結果を該移動体端末が提示するシステム
に使用するサイト検索結果提示方法であって、
前記検索キーワード入力部が、前記検索キーワードの入力を受ける検索キーワード入力ステップと、
前記キーワード入力時間測定部が、前記検索キーワードの入力に関する時刻もしくは時間を取得するキーワード入力時間測定ステップと、
前記キーワード入力場所獲得部が、前記検索キーワード入力に関する位置を取得するキーワード入力場所獲得ステップと、
前記検索情報送信部が、文字入力状況と前記検索キーワードを前記サイト検索サービス用サーバに送信する検索情報送信ステップと、
前記検索情報受信部が、前記文字入力状況と検索キーワードを受信する検索情報受信ステップと、
前記目的志向度算出部が、前記文字入力状況に基づいて、目的志向度を算出し、設定する目的志向度算出ステップと、
前記検索部が、前記検索キーワードを使ってネットワーク上のサイトを検索し、検索キーワードを含む電子文書を格納するＷｅｂサイトに関する情報の一覧である検索結果を取得する検索ステップと、
前記検索結果送信部が、前記算出した目的志向度に応じて検索結果を変換し、該変換された検索結果を前記移動体端末に送信する検索結果送信ステップと、
を有し、
さらに、
前記キーワード入力時間測定ステップが、
前記キーワード入力時間測定部が、前記サイト検索サービス用サーバにアクセスした開始時刻を取得するステップと、
前記キーワード入力時間測定部が、前記検索キーワードを前記サイト検索サービス用サーバに入力した入力時刻を取得するステップと、
を有し、
前記キーワード入力場所獲得ステップが、
前記キーワード入力場所獲得部が、前記サイト検索サービス用サーバにアクセスした開始位置を取得するステップと、
前記キーワード入力場所獲得部が、前記検索キーワードを前記サイト検索サービス用サーバに入力した入力位置を取得するステップと、
を有し、
前記目的志向度算出ステップが、
目的志向度算出部が、前記利用者データ管理部に格納された利用者の位置と入力位置に基づいて、前記移動体端末の現在位置を特定し、
前記検索キーワードの分類を検索語データ管理部を使った一致検索によって取得し、取得した分類，入力時刻，現在位置を、目的志向度データ管理部を使って一致検索し、その検索された結果に含まれる目的志向度データ管理部の目的志向度を目的志向度と設定するステップ、
を有し、
前記検索結果送信ステップが、
求める検索結果を見つけたか否かを返信するための表示情報，検索キーワード，入力時刻，入力位置，目的志向度を検索結果に追加するステップ、
を有し、
前記移動体端末が、求める検索結果を見つけたか否かを示す検索成否情報を入力され、該検索成否情報と検索結果に含まれる検索キーワード，入力時刻，入力位置，目的志向度を送信するステップと、
前記サイト検索サービス用データベース管理部が、受信した検索成否情報に応じて、検索キーワード，入力時刻，入力位置，目的志向度に基づき、前記検索行動履歴データ管理部を使って記録し、
該検索行動履歴データ管理部に格納された検索行動履歴データを該検索行動履歴データの検索語と検索語データ管理部の検索語カテゴリに基づいて分類し、
その分類された結果と、受信した入力時刻，入力位置，目的志向度に基づいて前記目的志向度データ管理部に目的志向度データを追記していくステップと、
を有することを特徴とするサイト検索結果提示方法。
【請求項６】
ユーザの検索する検索キーワードを入力する検索キーワード入力部，ユーザの検索の目的が明確であるかを示す数値である目的志向度を入力する目的志向度入力部，検索キーワードと目的志向度を送信する検索情報送信部，検索結果を受信する検索結果受信部，検索結果を提示する検索結果提示部を備える移動体端末を有し、
該文字入力状況と検索キーワードを受信する検索情報受信部，ユーザの目的志向度を算出する目的志向度算出部，該検索キーワードを使ってネットワーク上のサイトを検索し、検索結果を取得する検索部，該検索結果を送信する検索結果送信部を備えるサイト検索サービス用サーバを有し、
該移動体端末が、該目的志向度と検索キーワードを該サイト検索サービス用サーバにネットワークを介して送信し、該サイト検索サービス用サーバが、その検索キーワードに応じて、ネットワークを検索した検索結果を該移動体端末に送信し、該検索結果を該移動体端末が提示するシステム
に使用するサイト検索結果提示方法であって、
前記検索キーワード入力部が、前記検索キーワードの入力を受ける検索キーワード入力ステップと、
前記目的志向度入力部が、入力された目的志向度を取得するステップと、
前記検索情報送信部が、前記目的志向度と前記検索キーワードを前記サイト検索サービス用サーバに送信する検索情報送信ステップと、
前記検索情報受信部が、前記目的志向度と検索キーワードを受信する検索情報受信ステップと、
前記検索部が、前記検索キーワードを使ってネットワーク上のサイトを検索し、検索キーワードを含む電子文書を格納するＷｅｂサイトに関する情報の一覧である検索結果を取得する検索ステップと、
前記検索結果送信部が、前記受信した目的志向度に応じて検索結果を変換し、該変換された検索結果を前記移動体端末に送信する検索結果送信ステップと、
を有することを特徴とする検索結果提示方法。
【請求項７】
請求項２に記載のサイト検索結果提示方法において、
前記検索結果送信ステップが、
目的志向度が該目的志向度が低いことを示す値に設定された場合に、複数カテゴリにわたるＷｅｂサイトに関する情報で構成された検出結果に変換するステップ、
を有する
ことを特徴とする検索結果提示方法。
【請求項８】
請求項２に記載のサイト検索結果提示方法において、
前記検索結果送信ステップが、
目的志向度が該目的志向度が高いことを示す値に設定された場合に、検索キーワードに応じたオフィシャルサイトもしくはアクセス情報を載せたサイトに関する情報を上位とするように検索結果を変換するステップ、
を有する
ことを特徴とする検索結果提示方法。
【請求項９】
サイト検索で使用するデータを管理するサイト検索サービス用データ管理部
を備え、
さらに、該サイト検索サービス用データ管理部が、
利用者に関する情報である利用者の位置，平均入力時間を格納し管理する利用者データ管理部，
検索キーワードに関する情報である検索キーワード，分類を有する検索語データを格納し管理する検索語データ管理部
を備え、
移動体端末から
検索キーワードの入力に関する時刻もしくは時間，検索キーワード入力に関する位置を含む文字入力状況とユーザの検索する検索キーワードをネットワークを介して受信し、
その検索キーワードに応じて、ネットワークを検索した検索結果を該移動体端末に送信するサイト検索サービス用サーバであって、
前記文字入力状況と検索キーワードを受信する検索情報受信部と、
前記検索キーワードを使ってネットワーク上のサイトを検索し、検索キーワードを含む電子文書を格納するＷｅｂサイトに関する情報の一覧である検索結果を取得する検索部と、
ユーザの検索の目的が明確であるかを示す数値である目的志向度を、前記文字入力状況に基づいて算出し、設定する目的志向度算出部と、
前記設定した目的志向度に応じて検索結果を変換し、該変換された検索結果を送信する検索結果送信部と、
を備えることを特徴とするサイト検索サービス用サーバ。
【請求項１０】
請求項９に記載のサイト検索サービス用サーバにおいて、
前記検索情報受信部が、
前記移動体端末が前記サイト検索サービス用サーバにアクセスした開始位置，
前記移動体端末が前記サイト検索サービス用サーバにアクセスした開始時刻，
前記移動体端末が前記検索キーワードを前記サイト検索サービス用サーバに送信した送信時刻，
前記移動体端末が前記検索キーワードを前記サイト検索サービス用サーバに送信した送信位置
を含む文字入力状況と前記検索キーワードを受信する手段、
を備え、
目的志向度算出部が、
前記利用者データ管理部に格納された利用者の位置と前記開始位置を比較し、
それらが等しい場合、目的志向度を目的志向度が低いことを示す値に設定し、
それらが等しくない場合、開始時刻と送信時刻の差分を計算し、該差分を前記利用者データ管理部に格納された利用者の平均入力時間と比較し、
その差分が該平均入力時間より長い場合に、目的志向度を目的志向度が低いことを示す値に設定し、
その差分が該平均入力時間より短いか、等しい場合に、目的志向度を目的志向度が高いことを示す値に設定する手段、
を備える
ことを特徴とするサイト検索サービス用サーバ。
【請求項１１】
請求項９または１０に記載のサイト検索サービス用サーバにおいて、
前記検索結果送信部が、
前記目的志向度算出部で設定された目的志向度と、前記受信した検索キーワードと検索語データ管理部の検索キーワードに一致する分類と、の組み合わせに応じて、前記検索結果において、前記Ｗｅｂサイトに関する情報の提示順序を変換する手段、
を備える
ことを特徴とするサイト検索サービス用サーバ。
【請求項１２】
サイト検索で使用するデータを管理するサイト検索サービス用データ管理部
を備え、
さらに、該サイト検索サービス用データ管理部が、
利用者に関する情報である利用者の位置，平均入力時間を格納し管理する利用者データ管理部，
検索キーワードに関する情報である検索キーワード，分類を有する検索語データを格納し管理する検索語データ管理部，
検索キーワードの分類を示す検索語カテゴリ，時間，位置，目的志向度を有する目的志向度データを格納し管理する目的志向度データ管理部
を備え、
移動体端末から
検索キーワードの入力に関する時刻もしくは時間，検索キーワード入力に関する位置を含む文字入力状況とユーザの検索する検索キーワードをネットワークを介して受信し、
その検索キーワードに応じて、ネットワークを検索した検索結果を該移動体端末に送信するサイト検索サービス用サーバであって、
前記文字入力状況と検索キーワードを受信する検索情報受信部と、
前記検索キーワードを使ってネットワーク上のサイトを検索し、検索キーワードを含む電子文書を格納するＷｅｂサイトに関する情報の一覧である検索結果を取得する検索部と、
ユーザの検索の目的が明確であるかを示す数値である目的志向度を、前記文字入力状況に基づいて算出し、設定する目的志向度算出部と、
前記設定した目的志向度に応じて検索結果を変換し、該変換された検索結果を送信する検索結果送信部と、
さらに、
前記検索情報受信部が、
前記移動体端末が前記サイト検索サービス用サーバにアクセスした開始時刻，
前記移動体端末が前記サイト検索サービス用サーバにアクセスした開始位置，
前記移動体端末が前記検索キーワードを前記サイト検索サービス用サーバに入力した入力時刻，
前記移動体端末が前記検索キーワードを前記サイト検索サービス用サーバに入力した入力位置を含む文字入力状況と前記検索キーワードを受信する手段、
を備え、
前記目的志向度算出部が、
前記利用者データ管理部に格納された利用者の位置と入力位置に基づいて、前記移動体端末の現在位置を特定し、
前記検索キーワードの分類を検索語データ管理部を使った一致検索によって取得し、取得した分類，入力時刻，現在位置を、目的志向度データ管理部を使って一致検索し、その検索された結果に含まれる目的志向度データ管理部の目的志向度を目的志向度と設定する手段、
を備える
ことを特徴とするサイト検索サービス用サーバ。
【請求項１３】
請求項１２に記載のサイト検索サービス用サーバであって、
前記サイト検索サービス用データ管理部が、
ユーザの検索行動に関する履歴情報である検索キーワード，入力時刻，入力位置，目的志向度を有する検索行動履歴データを格納し管理する検索行動履歴データ管理部、
を備え、
前記検索結果送信部が、
求める検索結果を見つけたか否かを返信するための表示情報，検索キーワード，入力時刻，入力位置，目的志向度を検索結果に追加する手段、
を備え、
求める検索結果を見つけたか否かを示す検索成否情報，検索結果に含まれる検索キーワード，入力時刻，入力位置，目的志向度を受信し、
受信した検索成否情報に応じて、検索キーワード，入力時刻，入力位置，目的志向度に基づき、前記検索行動履歴データ管理部を使って記録し、
該検索行動履歴データ管理部に格納された検索行動履歴データを該検索行動履歴データの検索語と検索語データ管理部の検索語カテゴリに基づいて分類し、
その分類された結果と、受信した入力時刻，入力位置，目的志向度に基づいて前記目的志向度データ管理部に目的志向度データを追記していくサイト検索サービス用データベース管理部と、
を備えることを特徴とするサイト検索サービス用サーバ。
【請求項１４】
移動体端末から
ユーザの検索の目的が明確であるかを示す数値である目的志向度，ユーザの検索する検索キーワードをネットワークを介して受信し、
その検索キーワードに応じて、ネットワークを検索した検索結果を該移動体端末に送信するサイト検索サービス用サーバであって、
前記目的志向度と検索キーワードを受信する検索情報受信部と、
前記検索キーワードを使ってネットワーク上のサイトを検索し、検索キーワードを含む電子文書を格納するＷｅｂサイトに関する情報の一覧である検索結果を取得する検索部と、
前記受信した目的志向度に応じて検索結果を変換し、該変換された検索結果を前記移動体端末に送信する検索結果送信部と、
を備えることを特徴とするサイト検索サービス用サーバ。
【請求項１５】
コンピュータを請求項９乃至１４のいずれかに記載のサイト検索サービス用サーバにおける各部及び各手段として機能させることを特徴とするサイト検索サービスプログラム。
【請求項１６】
請求項１５に記載のサイト検索サービスプログラムを記録したことを特徴とする記録媒体。
【発明の詳細な説明】
【技術分野】
【０００１】
本発明は、ネットワーク上で行う検索処理の結果を提示する技術に関するものである。
【背景技術】
【０００２】
利用者の現在位置情報とユーザの嗜好情報に基づいて案内情報を提示する方法（例えば、特許文献１）が知られている。この方法では、ユーザ名，ユーザが使用している端末ＩＤ（Ｉｄｅｎｔｉｆｉｅｒ），サービスエリアの組み合わせを管理することによってユーザの所在を管理し、そのユーザ名に関する嗜好情報（例えば、趣味）なども管理することによって、ユーザに対し案内情報を提示している。
【０００３】
しかし、ユーザの所在と時刻が同一でも、利用者が欲する情報は、その状況に応じて異なってくるものである。
【特許文献１】特開平１１−５５７２６号公報（段落［００２６］〜［００４１］等）。
【発明の開示】
【発明が解決しようとする課題】
【０００４】
移動体端末による一般的なウェブサイト検索において、移動体端末に備えられた表示画面が小さいため、１ページに表示できる検索結果数が限られる。しかし、結果を表示させる毎（あるいは、結果を表示させる通信毎）に課金が生じるため、所望の結果が得られない場合、実際に行った利用実態調査結果（例えば、図１７〜図２０に示した利用実態調査結果）によれば、検索結果を複数ページに亘って表示せず、他の手段によって情報を得るか、あきらめることが多いことが判っている。なお、図１７中のグラフＧ１は、ユーザが閲覧した結果のページ数に関する調査結果を示すグラフである。図１８中のグラフＧ２は、見つからなかったときの行動に関する調査結果を示すグラフである。
【０００５】
また、上述の利用実態調査結果によれば、検索を行なう場所（即ち、ユーザの所在もしくはユーザの使用する端末の所在）によって、利用者が検索したい内容に差があることも判明した。なお、図１９中のグラフＧ３は、移動中の検索目的に関する調査結果を示すグラフである。図２０中のグラフＧ４は、自宅での検索目的に関する調査結果を示すグラフである。
【０００６】
現在、一般的に知られる検索プログラムは、場所に関係なく検索結果を表示するため、所望の検索結果を得ることが困難であるという問題が生じていた。
【０００７】
本発明は、前記課題に基づいてなされたものであって、利用者の場所や時刻に応じた検索の目的が明確であるかを示す数値（即ち、目的志向度）を取得し、該目的志向度に応じた検索結果を提示する検索結果提示方法，サイト検索サービス用サーバ，サイト検索サービスプログラム，そのプログラムを記録した記録媒体を提供することにある。
【課題を解決するための手段】
【０００８】
前記課題の解決を図るために、請求項１記載の発明は、ユーザの検索する検索キーワードを入力する検索キーワード入力部，検索キーワードの入力に関する時刻もしくは時間を取得するキーワード入力時間測定部，ユーザの検索キーワード入力に関する位置を取得するキーワード入力場所獲得部，該キーワード入力時間測定部とキーワード入力場所獲得部によって取得する情報を有する文字入力状況と検索キーワードを送信する検索情報送信部，検索結果を受信する検索結果受信部，検索結果を提示する検索結果提示部を備える移動体端末を有し、該文字入力状況と検索キーワードを受信する検索情報受信部，ユーザの検索の目的が明確であるかを示す数値である目的志向度を算出する目的志向度算出部，該検索キーワードを使ってネットワーク上のサイトを検索し、検索結果を取得する検索部，該検索結果を送信する検索結果送信部，サイト検索で使用するデータを管理するサイト検索サービス用データ管理部を備え、さらに、該サイト検索サービス用データ管理部が、利用者に関する情報である利用者の位置，平均入力時間を格納し管理する利用者データ管理部，検索キーワードに関する情報である検索キーワード，分類を有する検索語データを格納し管理する検索語データ管理部を備えるサイト検索サービス用サーバを有し、該移動体端末が、該文字入力状況と検索キーワードを該サイト検索サービス用サーバにネットワークを介して送信し、該サイト検索サービス用サーバが、その検索キーワードに応じて、ネットワークを検索した検索結果を該移動体端末に送信し、該検索結果を該移動体端末が提示するシステムに使用するサイト検索結果提示方法であって、前記検索キーワード入力部が、前記検索キーワードの入力を受ける検索キーワード入力ステップと、前記キーワード入力時間測定部が、前記検索キーワードの入力に関する時刻もしくは時間を取得するキーワード入力時間測定ステップと、前記キーワード入力場所獲得部が、前記検索キーワードの入力に関する位置を取得するキーワード入力場所獲得ステップと、前記検索情報送信部が、文字入力状況と前記検索キーワードを前記サイト検索サービス用サーバに送信する検索情報送信ステップと、前記検索情報受信部が、前記文字入力状況と検索キーワードを受信する検索情報受信ステップと、前記目的志向度算出部が、前記文字入力状況に基づいて、目的志向度を算出し、設定する目的志向度算出ステップと、前記検索部が、前記検索キーワードを使ってネットワーク上のサイトを検索し、検索キーワードを含む電子文書を格納するＷｅｂサイトに関する情報の一覧である検索結果を取得する検索ステップと、前記検索結果送信部が、前記設定した目的志向度に応じて検索結果を変換し、該変換された検索結果を前記移動体端末に送信する検索結果送信ステップと、を有することを特徴とする。
【０００９】
請求項２記載の発明は、請求項１に記載の発明において、前記キーワード入力時間測定ステップが、前記キーワード入力時間測定部が、前記サイト検索サービス用サーバにアクセスした開始時刻を取得するステップと、前記キーワード入力時間測定部が、前記検索キーワードを前記サイト検索サービス用サーバに送信した送信時刻を取得するステップと、を有し、前記キーワード入力場所獲得ステップが、前記キーワード入力場所獲得部が、前記サイト検索サービス用サーバにアクセスした開始位置を取得するステップと、前記キーワード入力場所獲得部が、前記検索キーワードを前記サイト検索サービス用サーバに送信した送信位置を取得するステップと、を有し、前記検索情報送信ステップが、前記検索情報送信部が、前記開始位置，前記開始時刻，前記送信位置，前記送信時刻を含む文字入力状況と前記検索キーワードを前記サイト検索サービス用サーバに送信するステップ、を有し、前記目的志向度算出ステップが、目的志向度算出部が、前記利用者データ管理部に格納された利用者の位置と前記開始位置を比較し、それらが等しい場合、目的志向度を目的志向度が低いことを示す値に設定し、それらが等しくない場合、開始時刻と送信時刻の差分を計算し、該差分を前記利用者データ管理部に格納された利用者の平均入力時間と比較し、その差分が該平均入力時間より長い場合に、目的志向度を目的志向度が低いことを示す値に設定し、その差分が該平均入力時間より短いか、等しい場合に、目的志向度を目的志向度が高いことを示す値と設定するステップ、を有することを特徴とする。
【００１０】
請求項３記載の発明は、請求項１または２に記載の発明において、前記検索結果送信ステップが、前記検索結果送信部が、目的志向度算出ステップで設定された目的志向度と、前記受信した検索キーワードと検索語データ管理部の検索キーワードに一致する分類と、の組み合わせに応じて、前記検索結果において、前記Ｗｅｂサイトに関する情報の提示順序を変換するステップ、を有することを特徴とする。
【００１１】
請求項４記載の発明は、ユーザの検索する検索キーワードを入力する検索キーワード入力部，検索キーワードの入力に関する時刻もしくは時間を取得するキーワード入力時間測定部，ユーザの検索キーワード入力に関する位置を取得するキーワード入力場所獲得部，該キーワード入力時間測定部とキーワード入力場所獲得部によって取得する情報を有する文字入力状況と検索キーワードを送信する検索情報送信部，検索結果を受信する検索結果受信部，検索結果を提示する検索結果提示部を備える移動体端末を有し、該文字入力状況と検索キーワードを受信する検索情報受信部，ユーザの検索の目的が明確であるかを示す数値である目的志向度を算出する目的志向度算出部，該検索キーワードを使ってネットワーク上のサイトを検索し、検索結果を取得する検索部，該検索結果を送信する検索結果送信部，サイト検索で使用するデータを管理するサイト検索サービス用データ管理部を備え、さらに、該サイト検索サービス用データ管理部が、利用者に関する情報である利用者の位置，平均入力時間を格納し管理する利用者データ管理部，検索キーワードに関する情報である検索キーワード，分類を有する検索語データを格納し管理する検索語データ管理部，検索キーワードの分類を示す検索語カテゴリ，時間，位置，目的志向度を有する目的志向度データを格納し管理する目的志向度データ管理部を備えるサイト検索サービス用サーバを有し、該移動体端末が、該文字入力状況と検索キーワードを該サイト検索サービス用サーバにネットワークを介して送信し、該サイト検索サービス用サーバが、その検索キーワードに応じて、ネットワークを検索した検索結果を該移動体端末に送信し、該検索結果を該移動体端末が提示するシステムに使用するサイト検索結果提示方法であって、前記検索キーワード入力部が、前記検索キーワードの入力を受ける検索キーワード入力ステップと、前記キーワード入力時間測定部が、前記検索キーワードの入力に関する時刻もしくは時間を取得するキーワード入力時間測定ステップと、前記キーワード入力場所獲得部が、前記検索キーワード入力に関する位置を取得するキーワード入力場所獲得ステップと、前記検索情報送信部が、文字入力状況と前記検索キーワードを前記サイト検索サービス用サーバに送信する検索情報送信ステップと、前記検索情報受信部が、前記文字入力状況と検索キーワードを受信する検索情報受信ステップと、前記目的志向度算出部が、前記文字入力状況に基づいて、目的志向度を算出し、設定する目的志向度算出ステップと、前記検索部が、前記検索キーワードを使ってネットワーク上のサイトを検索し、検索キーワードを含む電子文書を格納するＷｅｂサイトに関する情報の一覧である検索結果を取得する検索ステップと、前記検索結果送信部が、前記算出した目的志向度に応じて検索結果を変換し、該変換された検索結果を前記移動体端末に送信する検索結果送信ステップと、さらに、前記キーワード入力時間測定ステップが、前記キーワード入力時間測定部が、前記サイト検索サービス用サーバにアクセスした開始時刻を取得するステップと、前記キーワード入力時間測定部が、前記検索キーワードを前記サイト検索サービス用サーバに入力した入力時刻を取得するステップと、を有し、前記キーワード入力場所獲得ステップが、前記キーワード入力場所獲得部が、前記サイト検索サービス用サーバにアクセスした開始位置を取得するステップと、前記キーワード入力場所獲得部が、前記検索キーワードを前記サイト検索サービス用サーバに入力した入力位置を取得するステップと、を有し、前記検索情報送信ステップが、前記検索情報送信部が、前記開始位置，前記開始時刻，前記入力位置，前記入力時刻を含む文字入力状況と前記検索キーワードを前記サイト検索サービス用サーバに送信するステップ、を有し、前記目的志向度算出ステップが、目的志向度算出部が、前記利用者データ管理部に格納された利用者の位置と入力位置に基づいて、前記移動体端末の現在位置を特定し、前記検索キーワードの分類を検索語データ管理部を使った一致検索によって取得し、取得した分類，入力時刻，現在位置を、目的志向度データ管理部を使って一致検索し、その検索された結果に含まれる目的志向度データ管理部の目的志向度を目的志向度と設定するステップ、を有することを特徴とする。
【００１２】
請求項５記載の発明は、ユーザの検索する検索キーワードを入力する検索キーワード入力部，検索キーワードの入力に関する時刻もしくは時間を取得するキーワード入力時間測定部，ユーザの検索キーワード入力に関する位置を取得するキーワード入力場所獲得部，該キーワード入力時間測定部とキーワード入力場所獲得部によって取得する情報を有する文字入力状況と検索キーワードを送信する検索情報送信部，検索結果を受信する検索結果受信部，検索結果を提示する検索結果提示部を備える移動体端末を有し、該文字入力状況と検索キーワードを受信する検索情報受信部，ユーザの検索の目的が明確であるかを示す数値である目的志向度を算出する目的志向度算出部，該検索キーワードを使ってネットワーク上のサイトを検索し、検索結果を取得する検索部，該検索結果を送信する検索結果送信部，サイト検索で使用するデータを管理するサイト検索サービス用データ管理部，該サイト検索サービス用データ管理部を管理するサイト検索サービス用データベース管理部を備え、さらに、該サイト検索サービス用データ管理部が、利用者に関する情報である利用者の位置，平均入力時間を格納し管理する利用者データ管理部，検索キーワードに関する情報である検索キーワード，分類を有する検索語データを格納し管理する検索語データ管理部，検索キーワードの分類を示す検索語カテゴリ，時間，位置，目的志向度を有する目的志向度データを格納し管理する目的志向度データ管理部，ユーザの検索行動に関する履歴情報である検索キーワード，入力時刻，入力位置，目的志向度を有する検索行動履歴データを格納し管理する検索行動履歴データ管理部を備えるサイト検索サービス用サーバを有し、該移動体端末が、該文字入力状況と検索キーワードを該サイト検索サービス用サーバにネットワークを介して送信し、該サイト検索サービス用サーバが、その検索キーワードに応じて、ネットワークを検索した検索結果を該移動体端末に送信し、該検索結果を該移動体端末が提示するシステムに使用するサイト検索結果提示方法であって、前記検索キーワード入力部が、前記検索キーワードの入力を受ける検索キーワード入力ステップと、前記キーワード入力時間測定部が、前記検索キーワードの入力に関する時刻もしくは時間を取得するキーワード入力時間測定ステップと、前記キーワード入力場所獲得部が、前記検索キーワード入力に関する位置を取得するキーワード入力場所獲得ステップと、前記検索情報送信部が、文字入力状況と前記検索キーワードを前記サイト検索サービス用サーバに送信する検索情報送信ステップと、前記検索情報受信部が、前記文字入力状況と検索キーワードを受信する検索情報受信ステップと、前記目的志向度算出部が、前記文字入力状況に基づいて、目的志向度を算出し、設定する目的志向度算出ステップと、前記検索部が、前記検索キーワードを使ってネットワーク上のサイトを検索し、検索キーワードを含む電子文書を格納するＷｅｂサイトに関する情報の一覧である検索結果を取得する検索ステップと、前記検索結果送信部が、前記算出した目的志向度に応じて検索結果を変換し、該変換された検索結果を前記移動体端末に送信する検索結果送信ステップと、を有し、さらに、前記キーワード入力時間測定ステップが、前記キーワード入力時間測定部が、前記サイト検索サービス用サーバにアクセスした開始時刻を取得するステップと、前記キーワード入力時間測定部が、前記検索キーワードを前記サイト検索サービス用サーバに入力した入力時刻を取得するステップと、を有し、前記キーワード入力場所獲得ステップが、前記キーワード入力場所獲得部が、前記サイト検索サービス用サーバにアクセスした開始位置を取得するステップと、前記キーワード入力場所獲得部が、前記検索キーワードを前記サイト検索サービス用サーバに入力した入力位置を取得するステップと、を有し、前記目的志向度算出ステップが、目的志向度算出部が、前記利用者データ管理部に格納された利用者の位置と入力位置に基づいて、前記移動体端末の現在位置を特定し、前記検索キーワードの分類を検索語データ管理部を使った一致検索によって取得し、取得した分類，入力時刻，現在位置を、目的志向度データ管理部を使って一致検索し、その検索された結果に含まれる目的志向度データ管理部の目的志向度を目的志向度と設定するステップ、を有し、前記検索結果送信ステップが、求める検索結果を見つけたか否かを返信するための表示情報，検索キーワード，入力時刻，入力位置，目的志向度を検索結果に追加するステップ、を有し、前記移動体端末が、求める検索結果を見つけたか否かを示す検索成否情報を入力され、該検索成否情報と検索結果に含まれる検索キーワード，入力時刻，入力位置，目的志向度を送信するステップと、前記サイト検索サービス用データベース管理部が、受信した検索成否情報に応じて、検索キーワード，入力時刻，入力位置，目的志向度に基づき、前記検索行動履歴データ管理部を使って記録し、該検索行動履歴データ管理部に格納された検索行動履歴データを該検索行動履歴データの検索語と検索語データ管理部の検索語カテゴリに基づいて分類し、その分類された結果と、受信した入力時刻，入力位置，目的志向度に基づいて前記目的志向度データ管理部に目的志向度データを追記していくステップと、を有することを特徴とする。
【００１３】
請求項６記載の発明は、ユーザの検索する検索キーワードを入力する検索キーワード入力部，ユーザの検索の目的が明確であるかを示す数値である目的志向度を入力する目的志向度入力部，検索キーワードと目的志向度を送信する検索情報送信部，検索結果を受信する検索結果受信部，検索結果を提示する検索結果提示部を備える移動体端末を有し、該文字入力状況と検索キーワードを受信する検索情報受信部，ユーザの目的志向度を算出する目的志向度算出部，該検索キーワードを使ってネットワーク上のサイトを検索し、検索結果を取得する検索部，該検索結果を送信する検索結果送信部を備えるサイト検索サービス用サーバを有し、該移動体端末が、該目的志向度と検索キーワードを該サイト検索サービス用サーバにネットワークを介して送信し、該サイト検索サービス用サーバが、その検索キーワードに応じて、ネットワークを検索した検索結果を該移動体端末に送信し、該検索結果を該移動体端末が提示するシステムに使用するサイト検索結果提示方法であって、前記検索キーワード入力部が、前記検索キーワードの入力を受ける検索キーワード入力ステップと、前記目的志向度入力部が、入力された目的志向度を取得するステップと、前記検索情報送信部が、前記目的志向度と前記検索キーワードを前記サイト検索サービス用サーバに送信する検索情報送信ステップと、前記検索情報受信部が、前記目的志向度と検索キーワードを受信する検索情報受信ステップと、前記検索部が、前記検索キーワードを使ってネットワーク上のサイトを検索し、検索キーワードを含む電子文書を格納するＷｅｂサイトに関する情報の一覧である検索結果を取得する検索ステップと、前記検索結果送信部が、前記受信した目的志向度に応じて検索結果を変換し、該変換された検索結果を前記移動体端末に送信する検索結果送信ステップと、を有することを特徴とする。
【００１４】
請求項７記載の発明は、請求項２に記載の発明において、前記検索結果送信ステップが、目的志向度が該目的志向度が低いことを示す値に設定された場合に、複数カテゴリにわたるＷｅｂサイトに関する情報で構成された検出結果に変換するステップ、を有することを特徴とする。
【００１５】
請求項８記載の発明は、請求項２に記載の発明において、前記検索結果送信ステップが、目的志向度が該目的志向度が高いことを示す値に設定された場合に、検索キーワードに応じたオフィシャルサイトもしくはアクセス情報を載せたサイトに関する情報を上位とするように検索結果を変換するステップ、を有することを特徴とする。
【００１６】
請求項９記載の発明は、サイト検索で使用するデータを管理するサイト検索サービス用データ管理部を備え、さらに、該サイト検索サービス用データ管理部が、利用者に関する情報である利用者の位置，平均入力時間を格納し管理する利用者データ管理部，検索キーワードに関する情報である検索キーワード，分類を有する検索語データを格納し管理する検索語データ管理部を備え、移動体端末から検索キーワードの入力に関する時刻もしくは時間，検索キーワード入力に関する位置を含む文字入力状況とユーザの検索する検索キーワードをネットワークを介して受信し、その検索キーワードに応じて、ネットワークを検索した検索結果を該移動体端末に送信するサイト検索サービス用サーバであって、前記文字入力状況と検索キーワードを受信する検索情報受信部と、前記検索キーワードを使ってネットワーク上のサイトを検索し、検索キーワードを含む電子文書を格納するＷｅｂサイトに関する情報の一覧である検索結果を取得する検索部と、ユーザの検索の目的が明確であるかを示す数値である目的志向度を、前記文字入力状況に基づいて算出し、設定する目的志向度算出部と、前記設定した目的志向度に応じて検索結果を変換し、該変換された検索結果を送信する検索結果送信部と、を備えることを特徴とする。
【００１７】
請求項１０記載の発明は、請求項９に記載の発明において、前記検索情報受信部が、前記移動体端末が前記サイト検索サービス用サーバにアクセスした開始位置，前記移動体端末が前記サイト検索サービス用サーバにアクセスした開始時刻，前記移動体端末が前記検索キーワードを前記サイト検索サービス用サーバに送信した送信時刻，前記移動体端末が前記検索キーワードを前記サイト検索サービス用サーバに送信した送信位置を含む文字入力状況と前記検索キーワードを受信する手段、を備え、目的志向度算出部が、前記利用者データ管理部に格納された利用者の位置と前記開始位置を比較し、それらが等しい場合、目的志向度を目的志向度が低いことを示す値に設定し、それらが等しくない場合、開始時刻と送信時刻の差分を計算し、該差分を前記利用者データ管理部に格納された利用者の平均入力時間と比較し、その差分が該平均入力時間より長い場合に、目的志向度を目的志向度が低いことを示す値に設定し、その差分が該平均入力時間より短いか、等しい場合に、目的志向度を目的志向度が高いことを示す値に設定する手段、を備えることを特徴とする。
【００１８】
請求項１１記載の発明は、請求項９または１０に記載の発明において、前記検索結果送信部が、前記目的志向度算出部で設定された目的志向度と、前記受信した検索キーワードと検索語データ管理部の検索キーワードに一致する分類と、の組み合わせに応じて、前記検索結果において、前記Ｗｅｂサイトに関する情報の提示順序を変換する手段、を備えることを特徴とする。
【００１９】
請求項１２記載の発明は、サイト検索で使用するデータを管理するサイト検索サービス用データ管理部を備え、さらに、該サイト検索サービス用データ管理部が、利用者に関する情報である利用者の位置，平均入力時間を格納し管理する利用者データ管理部，検索キーワードに関する情報である検索キーワード，分類を有する検索語データを格納し管理する検索語データ管理部，検索キーワードの分類を示す検索語カテゴリ，時間，位置，目的志向度を有する目的志向度データを格納し管理する目的志向度データ管理部を備え、移動体端末から検索キーワードの入力に関する時刻もしくは時間，検索キーワード入力に関する位置を含む文字入力状況とユーザの検索する検索キーワードをネットワークを介して受信し、その検索キーワードに応じて、ネットワークを検索した検索結果を該移動体端末に送信するサイト検索サービス用サーバであって、前記文字入力状況と検索キーワードを受信する検索情報受信部と、前記検索キーワードを使ってネットワーク上のサイトを検索し、検索キーワードを含む電子文書を格納するＷｅｂサイトに関する情報の一覧である検索結果を取得する検索部と、ユーザの検索の目的が明確であるかを示す数値である目的志向度を、前記文字入力状況に基づいて算出し、設定する目的志向度算出部と、前記設定した目的志向度に応じて検索結果を変換し、該変換された検索結果を送信する検索結果送信部と、さらに、前記検索情報受信部が、前記移動体端末が前記サイト検索サービス用サーバにアクセスした開始時刻，前記移動体端末が前記サイト検索サービス用サーバにアクセスした開始位置，前記移動体端末が前記検索キーワードを前記サイト検索サービス用サーバに入力した入力時刻，前記移動体端末が前記検索キーワードを前記サイト検索サービス用サーバに入力した入力位置を含む文字入力状況と前記検索キーワードを受信する手段、を備え、前記目的志向度算出部が、前記利用者データ管理部に格納された利用者の位置と入力位置に基づいて、前記移動体端末の現在位置を特定し、前記検索キーワードの分類を検索語データ管理部を使った一致検索によって取得し、取得した分類，入力時刻，現在位置を、目的志向度データ管理部を使って一致検索し、その検索された結果に含まれる目的志向度データ管理部の目的志向度を目的志向度と設定する手段、を備えることを特徴とする。
【００２０】
請求項１３記載の発明は、請求項１２に記載の発明において、前記サイト検索サービス用データ管理部が、ユーザの検索行動に関する履歴情報である検索キーワード，入力時刻，入力位置，目的志向度を有する検索行動履歴データを格納し管理する検索行動履歴データ管理部、を備え、前記検索結果送信部が、求める検索結果を見つけたか否かを返信するための表示情報，検索キーワード，入力時刻，入力位置，目的志向度を検索結果に追加する手段、を備え、求める検索結果を見つけたか否かを示す検索成否情報，検索結果に含まれる検索キーワード，入力時刻，入力位置，目的志向度を受信し、受信した検索成否情報に応じて、検索キーワード，入力時刻，入力位置，目的志向度に基づき、前記検索行動履歴データ管理部を使って記録し、該検索行動履歴データ管理部に格納された検索行動履歴データを該検索行動履歴データの検索語と検索語データ管理部の検索語カテゴリに基づいて分類し、その分類された結果と、受信した入力時刻，入力位置，目的志向度に基づいて前記目的志向度データ管理部に目的志向度データを追記していくサイト検索サービス用データベース管理部と、を備えることを特徴とする。
【００２１】
請求項１４記載の発明は、移動体端末からユーザの検索の目的が明確であるかを示す数値である目的志向度，ユーザの検索する検索キーワードをネットワークを介して受信し、その検索キーワードに応じて、ネットワークを検索した検索結果を該移動体端末に送信するサイト検索サービス用サーバであって、前記目的志向度と検索キーワードを受信する検索情報受信部と、前記検索キーワードを使ってネットワーク上のサイトを検索し、検索キーワードを含む電子文書を格納するＷｅｂサイトに関する情報の一覧である検索結果を取得する検索部と、前記受信した目的志向度に応じて検索結果を変換し、該変換された検索結果を前記移動体端末に送信する検索結果送信部と、を備えることを特徴とする。
【００２２】
請求項１５記載の発明は、サイト検索サービスプログラムであって、コンピュータを請求項９乃至１４のいずれかに記載のサイト検索サービス用サーバにおける各部及び各手段として機能させることを特徴とする。
【００２３】
請求項１６記載の発明は、記録媒体であって、請求項１５に記載のサイト検索サービスプログラムを記録したことを特徴とする。
【００２４】
前記請求項１，９に記載の発明は、利用者の文字入力状況に応じた目的志向度を取得し、さらに、目的志向度に応じた検索結果を取得できる。
【００２５】
前記請求項２，１０に記載の発明は、前記サイト検索サービス用サーバにアクセスした開始位置と開始時刻前記検索キーワードを前記サイト検索サービス用サーバに送信した送信時刻に基づいた目的志向度を取得できる。
【００２６】
前記請求項３，１１に記載の発明は、検索語データ管理部の分類と目的志向度に応じて順序を変換された検索結果を取得できる。
【００２７】
前記請求項４，１２に記載の発明は、移動体端末の現在位置を特定でき、その特定された現在位置に基づいた目的志向度を取得できる。
【００２８】
前記請求項５，１３に記載の発明は、検索成否情報を目的志向度データ管理部の目的志向度データに反映できる。
【００２９】
前記請求項５，１４に記載の発明は、目的志向度を受信できる。
【００３０】
前記請求項７に記載の発明は、目的志向度の低さに応じた検索結果を取得できる。
【００３１】
前記請求項８に記載の発明は、目的志向度の高さに応じた検索結果を取得できる。
【００３２】
前記請求項１５に記載の発明は、請求項９乃至１４のいずれかに記載のサイト検索サービス用サーバをコンピュータプログラムとして記載できる。
【００３３】
前記請求項１６に記載の発明は、請求項１５に記載のサイト検索サービスプログラムを記録媒体に記録できる。
【発明の効果】
【００３４】
以上示したように請求項１，９の発明によれば、利用者は、目的志向度に応じて、ネットワークから効率の良い検索を行うことができる。
【００３５】
請求項２，１０の発明によれば、利用者は、目的志向度に応じて、ネットワークから効率の良い検索を行うことができる。
【００３６】
請求項３，１１の発明によれば、利用者は、検索語データ管理部の分類と目的志向度に応じて、ネットワークから効率の良い検索を行うことができる。
【００３７】
請求項４，１２の発明によれば、利用者は、目的志向度に応じて、ネットワークから効率の良い検索を行うことができる。
【００３８】
請求項５，１３の発明によれば、利用者は、目的志向度に応じて、ネットワークから効率の良い検索を行うことができる。
【００３９】
請求項６，１４の発明によれば、利用者は、受信した目的志向度に応じて、ネットワークから効率の良い検索を行うことができる。
【００４０】
請求項７の発明によれば、複数カテゴリにわたるＷｅｂサイトの検索結果を取得できる。
【００４１】
請求項８の発明によれば、オフィシャルサイトもしくはアクセス情報を載せたサイトに関する情報を優先的に取得できる。
【００４２】
請求項１５の発明によれば、サイト検索サービス用サーバとしてコンピュータを動作させるコンピュータプログラムを提供できる。
【００４３】
請求項１６の発明によれば、サイト検索サービスプログラムとしてコンピュータを動作させるコンピュータプログラムを記録した記録媒体を提供できる。
【００４４】
これらを以って情報検索技術分野に貢献できる。
【発明を実施するための最良の形態】
【００４５】
本発明における実施形態（以下に説明する第１乃至第４実施形態）では、移動体端末を利用したサイト検索サービスにおいて、移動体端末の利用場面に応じて目的志向度を計算し、目的志向度に応じた検索結果を提示する。なお、以下の説明において、検索結果とは、検索キーワードを含む電子文書を格納するＷｅｂサイト（あるいはＷｅｂページ）に関する情報の一覧と考えてよい。また、Ｗｅｂサイトに関する情報はカテゴリによって分類されることもある。
【００４６】
本実施形態における目的志向度とは、ユーザの検索の目的が明確であるかを示す数値（すなわち、検索する内容が明確かどうかを示す２値、あるいは検索する内容の明確度合いを示す数値）とする。なお、以下の説明では、目的志向度を前記２値の情報として説明する。
【００４７】
具体的には、検索の目的や内容が明確な場合には目的志向度が高い、検索の目的や内容は不明確で暇つぶしに検索を行っている場合には目的志向度が低い、とする。しかし、目的志向度の設定方法は前記２値に限るものではなく、連続する数値でもよい。例えば、実際に検索キーワードの入力にかかった時間を、０〜１００までのパラメータ等に変換し、該パラメータを目的志向度としてもよい。
【００４８】
［第１実施形態］
第１実施形態におけるサイト検索システムの構成を図１に基づいて説明する。
【００４９】
図１中のサイト検索システムは、目的志向度によって検索結果提示方法を変更するサイト検索システムであって、利用者の移動体端末１およびサイト検索サービス用サーバ２から構成され、それらは、通信回線（例えば、携帯電話網やインターネット等のネットワーク）で接続され、各々通信を行う。
【００５０】
移動体端末１は、ユーザインタフェース部（図示省略；後述する）を使って、ユーザの検索するキーワードを入力する検索キーワード入力部１１，時間管理部（図示省略；後述する）を使って、キーワード入力に関する時刻もしくは時間を取得するキーワード入力時間測定部１２，ユーザインタフェース部（図示省略；後述する）を使って、ユーザのキーワード入力に関する位置を取得する（もしくはユーザの位置に関する情報を入力する）キーワード入力場所獲得部１３，通信部（図示省略；後述する）を使って送信する検索情報送信部１４，通信部（図示省略；後述する）を使って受信する検索結果受信部１５，ユーザインタフェース部（図示省略；後述する）を使って、検索結果を提示（もしくは表示）する検索結果提示部１６，メモリやハードディスクドライブ装置などを含み、移動体端末１で使用する情報やデータを記憶し管理する記憶部（図示省略），ポインティングデバイスやキーボード装置やディスプレイ装置などを含み、ユーザインタフェースを提供するユーザインタフェース部（図示省略），ネットワークインタフェース装置などを含む通信部（図示省略），ＣＰＵ（Ｃｅｎｔｒａｌ  Ｐｒｏｃｅｓｓｉｎｇ  Ｕｎｉｔ）やＯＳ（Ｏｐｅｒａｔｉｎｇ  Ｓｙｓｔｅｍ）などを含み、各部を制御する制御部（図示省略），一般的な内蔵時計を含み、その内蔵時計を管理する時間管理部（図示省略）を備える。
【００５１】
サイト検索サービス用サーバ（以下、単にサーバという）２は、通信部（図示省略；後述する）を使って受信する検索情報受信部２１，ユーザの目的志向度を算出する（もしくは検索する）目的志向度算出部２２，検索キーワードを使って、ネットワーク上のサイト（例えば、Ｗｅｂサイト）を検索する検索部２３，通信部（図示省略；後述する）を使って送信する検索結果送信部２４，サーバ２におけるサイト検索などで使用するデータを管理するサイト検索サービス用データベース３，メモリやハードディスクドライブ装置などを含み、サーバ２で使用する情報やデータを記憶し管理する記憶部（図示省略），ネットワークインタフェース装置などを含む通信部（図示省略），ＣＰＵやＯＳなどを含み、各部を制御する制御部（図示省略）を備える。
【００５２】
さらに、サイト検索サービス用データベース３は、複数のデータベースを管理するサイト検索サービス用データ管理部であって、利用者に関する情報であって、利用者に応じて、利用者の位置，平均入力時間を有する利用者データを格納し管理する利用者データベース（利用者データ管理部）３１，検索キーワード（即ち、検索語）に関する情報を管理する検索語データベース（検索語データ管理部）３２を備える。
【００５３】
なお、サイト検索サービス用データベース３の備える各データベースは、サイト検索サービス用データベース３のテーブルとして表現されているものと考えても良い。利用者データベース３１は、利用者を識別する識別子に応じて、利用者データを管理しても良い。また、各データベースは、サーバ２の記憶部に構築されても良い。
【００５４】
また、サーバ２は、検索用Ｗｅｂページを備え、移動体端末１からアクセスされた際に、その検索用Ｗｅｂページを表示しても良い。即ち、サーバ２は、ＨＴＴＰ（ＨｙｐｅｒＴｅｘｔ  Ｔｒａｎｓｆｅｒ  Ｐｒｏｔｏｃｏｌ）サーバの機能を有することになる。
【００５５】
第１実施形態におけるサイト検索システムの動作概略を図１に基づいて説明する。
【００５６】
移動体端末１は、検索キーワード，キーワード入力時間，キーワード入力場所を取得し、サイト検索サービス用サーバ２に送信する。
【００５７】
サーバ２は、検索キーワード，キーワード入力時間，キーワード入力場所を受信すると、これらの検索情報を使って、インターネット等から検索を行ない、目的志向度を算出する。そして、サーバ２は、検索結果を目的志向度に応じて検索結果に変換（例えば、検索結果におけるサイトに関する情報の提示順序を変更するように変換）し、変換した検索結果を移動体端末１に送信する。
【００５８】
移動体端末１は、サーバ２から受信した検索結果を提示する。
【００５９】
第１実施形態のサイト検索システムにおける目的志向度の算出方法を図２，図３に基づいて説明する。
【００６０】
なお、この算出方法は、移動体端末の文字入力状況から目的志向度を算出する方法である。上述の利用実態調査結果（例えば、図２０中のグラフＧ４）によれば、自宅では目的志向度の低い検索がなされることが多いことが知られているため、第１実施形態では、それを応用している。
【００６１】
また、以下の説明では、利用場面の情報として、時刻と場所を例に説明するが、ユーザの検索履歴等やライフログ等を利用して目的志向度を算出してもよい。図２は、図１中の目的志向度算出部が行う目的志向度を算出する処理を示すフローチャートである。図３は、サイト検索システムが提供するサイト検索サービスのシーケンスチャートである。
【００６２】
以下の説明では、目的志向度は「高」（目的志向度が高い），「低」（目的志向度が低い）の２段階として説明するが、段階を増やし、各段階に適した検索結果を提示してもよい。利用者Ａの自宅の位置情報Ａ，平均入力時間Ａを、予め利用者データベース３１に予め登録しておくものとする。
【００６３】
まず、検索キーワード入力部１１が、検索キーワードを入力する（Ｓ２０１）。
【００６４】
次に、利用者Ａの移動体端末１のキーワード入力場所獲得部１３が検索サイト（サーバ２）を表示した（アクセスした）位置（開始位置＝位置α）を取得し（Ｓ２０２）、キーワード入力時間測定部１２が検索サイト（サーバ２）を表示した（アクセスした）時刻（開始時刻＝時刻α）を取得する（Ｓ２０３）（Ｓ１０１）。
【００６５】
次に、キーワード入力場所獲得部１３が利用者Ａの検索キーワードを検索サイト（サーバ２）に送信した位置（送信位置＝位置β）を取得し（Ｓ２０２）、キーワード入力時間測定部１２が利用者Ａの検索キーワードを検索サイト（サーバ２）に送信した時刻（送信時刻＝時刻β）を取得し、検索情報送信部１４が検索キーワードと開始位置，開始時刻，送信位置，送信時刻を含む文字入力状況をサーバ２へ送信する（Ｓ２０３）（Ｓ１０２，Ｍ１０１）。
【００６６】
次に、検索キーワードと文字入力状況を検索情報受信部２１で受信する。続いて、目的志向度算出部２２が、予め利用者データベース３１に格納された利用者Ａの位置Ａ（例えば、「自宅」）を読み出し（Ｍ１０２）、利用者Ａが検索サイトを表示した場所（例えば、位置α）と該位置Ａと比較する（Ｓ１０３，Ｓ２０４）。検索サイトを表示した場所が位置Ａと等しい（例えば、位置α＝「自宅」）場合、利用者が自宅に居ることになるため、ステップＳ１０６へ進む。検索サイトを表示した場所が位置Ａと等しくない場合、利用者Ａが外出しているものと見做し、ステップＳ１０４へ進む。
【００６７】
ステップＳ１０４（，Ｓ２０４）では、目的志向度算出部２２が、検索語の入力時間を開始時刻（時刻α）と送信時刻（時刻β）に基づいて計算（例えば、送信時刻−開始時刻を計算）し、利用者データベース３１に格納された利用者Ａの平均入力時間Ａ（例えば、１０分）と比較する。入力時間が平均入力時間Ａより長い場合に、ステップＳ１０６へ進む。入力時間が平均入力時間Ａより短いか、等しい場合に、ステップＳ１０５へ進む。
【００６８】
ステップＳ１０５（，Ｓ２０４）では、目的志向度算出部２２が、目的志向度を「高」（目的志向度が高いことを示す値）と設定する。
【００６９】
ステップＳ１０６（，Ｓ２０４）では、目的志向度算出部２２が、目的志向度を「低」（目的志向度が低いことを示す値）と設定する。
【００７０】
なお、上述の開始位置，開始時刻，送信位置，送信時刻を取得する順番は、それらの情報を取得できれば、多少前後しても良い。
【００７１】
また、上述の文字入力状況として、入力速度，入力時の誤入力回数を採用し、目的志向度の指標としてもよい。
【００７２】
ユーザが検索を始めて間もないと判断できた場合（例えば、平均入力時間と比べて時間が同等の場合や短い場合）は、位置情報も含めて目的志向度を計算し、それに応じた結果表示をしても良い。例えば、入力時間が平均入力時間を超過し、目的志向度が低いと判断された場合、目的志向度が低いことを示す結果表示となる。
【００７３】
また、利用者の平均入力時間は、利用者データベース３１に予め格納せずに、利用状況をログデータに残し、そのログデータを基づいて、平均入力時間を更新してもよい。
【００７４】
また、図２中では、位置を優先した目的志向度の算出方法を説明したが、時刻と位置の優先度を入れ替えてもよい。
【００７５】
また、位置情報を取得する手段としては、ＧＰＳ（Ｇｌｏｂａｌ  Ｐｏｓｉｔｉｏｎ（Ｐｏｓｉｔｉｏｎｉｎｇ）  Ｓｙｓｔｅｍ）を利用しても良いし、別途に、自宅あるいは自宅以外にいることを送信してもよい。
【００７６】
図１中の検索結果送信部２４が、検索キーワード，目的志向度，検索結果に基づいて検索結果の提示順位を決定する方法を図４，図５に基づいて説明する。なお、この提示順位を決定する方法は、ユーザの目的志向度が高いときの検索内容は、目的とする移動場所への移動手段，移動場所の情報，地図であることを示す上述の利用実態調査結果（例えば、図１９中のグラフＧ３や図２０中のグラフＧ４）に基づいている。また、この提示順位を決定する方法では、検索語のカテゴリと検索時刻、場所に応じて目的志向度を計算し、目的志向度に応じた検索結果を提示している。
【００７７】
この提示順位を決定する方法では、入力された検索キーワードが、図４中の検索語データベース３２に基づいて、固有名詞（例えば、店名，施設名，駅名，地名）であると判断された場合、図２の目的志向度の算出方法に基づいて目的志向度を算出し、該目的志向度が高いと算出された検索キーワードに関する検索結果に含まれるＷｅｂサイトに関する情報を上位に提示する。即ち、検索キーワードが固有名詞であれば、オフィシャルサイト等、検索キーワードに対するアクセスや公式情報が明確なＷｅｂページを上位に提示する。
【００７８】
まず、検索キーワード入力部１１が、検索キーワード（例えば、「レストラン名」）を入力する。（Ｓ３０１，Ｓ４０１）。
【００７９】
同時に、利用者Ａの移動体端末１のキーワード入力場所獲得部１３が検索サイト（サーバ２）を表示した位置を取得し（Ｓ４０２）、キーワード入力時間測定部１２が検索サイト（サーバ２）を表示した時刻を取得する（Ｓ４０３）。
【００８０】
さらに、キーワード入力場所獲得部１３が利用者Ａの検索キーワードを検索サイト（サーバ２）に送信した位置を取得し（Ｓ４０２）、キーワード入力時間測定部１２が利用者Ａの検索キーワードを検索サイト（サーバ２）に送信した時刻を取得し（Ｓ４０３）、検索情報送信部１４が検索キーワードと開始位置，開始時刻，送信位置，送信時刻を含む文字入力状況をサーバ２へ送信する（Ｍ２０１）。
【００８１】
次に、サーバ２は、検索キーワードと文字入力状況を検索情報受信部２１で受信し、検索部２３が該検索キーワードについて、検索を行い、検索結果を取得する（Ｓ３０２，Ｓ４０４）。
【００８２】
次に、サーバ２の目的志向度算出部２２は、検索キーワードをサーバ２の検索語データベース３２（例えば、図６のような検索語データベース３２）に対して一致検索を行い（Ｍ２０２）判定する（Ｓ３０３，Ｓ４０５）。検索キーワードが“店名”もしくは“施設名”であると判定された場合、ステップＳ３０４へ進む。検索キーワードが“店名”でも、“施設名”でもないと判定された場合、ステップＳ３０５へ進む。なお、図６中の検索語データベース３２は、検索キーワードＣ１１，分類Ｃ１２を有する検索語データから構成される。
【００８３】
ステップＳ３０４では、サーバ２の目的志向度算出部２２は、図２の目的志向度の算出方法を用いて目的志向度を算出し、判定する（Ｍ２０３，Ｓ４０６）。目的志向度が高いと判定された（目的志向度を「高」と設定された）場合は、ステップＳ３０７へ進む。目的志向度が低いと判定された（目的志向度を「低」と設定された）場合は、ステップＳ３０９へ進む。
【００８４】
ステップＳ３０５（，Ｓ４０５）では、サーバ２の目的志向度算出部２２は、検索キーワードをサーバ２の検索語データベース３２に対して一致検索を行い（Ｍ２０２）判定する。検索キーワードが“地名”もしくは“駅名”であると判定された場合、ステップＳ３０６へ進む。検索キーワードが“地名”でも、“駅名”でもないと判定された場合、ステップＳ３０９へ進む。
【００８５】
ステップＳ３０６では、サーバ２は、図２の目的志向度の算出方法を用いて目的志向度を算出し、判定する（Ｍ２０３，Ｓ４０６）。目的志向度が高いと判定された（目的志向度を「高」と設定された）場合は、ステップＳ３０８へ進む。目的志向度が低いと判定された（目的志向度を「低」と設定された）場合は、ステップＳ３０９へ進む。
【００８６】
ステップＳ３０７（，Ｓ４０７，Ｍ２０４）では、サーバ２の検索結果送信部２４は、ステップＳ３０２で取得した検索結果を、電話番号、地図の情報が含まれるサイトを優先した検索結果に変換し、その変換した検索結果を移動体端末１に送信する。
【００８７】
ステップＳ３０８（，Ｓ４０７，Ｍ２０４）では、サーバ２の検索結果送信部２４は、ステップＳ３０２で取得した検索結果を、乗換案内、地図サイトを優先した検索結果に変換し、その変換した検索結果を移動体端末１に送信する。
【００８８】
ステップＳ３０９（，Ｓ４０７，Ｍ２０４）では、サーバ２の検索結果送信部２４は、ステップＳ３０２で取得した検索結果を、サイトのカテゴリが多く含まれるように変換した検索結果を移動体端末１に送信する。
【００８９】
そして、移動体端末１の検索結果受信部１５が、サーバ２から送信された検索結果を受信し、検索結果提示部１６が該検索結果を提示する（Ｓ４０８）。
【００９０】
なお、図４中では、“店名”，“地名”，“駅名”，“施設名”を例として説明したが、検索キーワードの他の属性によって提示方法を変更してもよい。
【００９１】
図７は、以上で説明した検索キーワード，目的志向度，検索結果に基づいて検索結果の提示順位を決定する方法に基づいて、移動体端末１で検索結果を表示した例である。なお、図７では、“店名”を例とした検索結果例であって、図７（ａ）は目的志向度が「高」である場合の検索結果表示Ｒ１、図７（ｂ）は目的志向度が「低」である場合の検索結果表示Ｒ２である。
【００９２】
また、店名の検索で、かつ、目的志向度が「高」である場合は、サイトメタデータテーブル（例えば、図８中のサイトメタデータテーブルＴ１）に基づいて、電話番号，地図を含むサイトに関する情報を上位に配置するように、検索結果を変換し、提示しても良い。なお、図８中のサイトメタデータテーブルＴ１は、サイト名Ｃ２１，カテゴリＣ２２，電話番号の有無情報Ｃ２３（電話番号の有の場合は印○、無の場合は空欄），地図の有無情報Ｃ２４（地図の有の場合は印○、無の場合は空欄）から構成されるサイトメタデータから構成され、例えば、サイトメタデータテーブルは、サイト検索サービス用データベース３のデータベースとして備えられていても良い。
【００９３】
また、店名の検索で、かつ、目的志向度が「低」である場合は、店の情報だけでなく、店に行った感想や、店の周辺情報を検索している可能性があるため、いろいろなカテゴリ（複数カテゴリ）を１ページ目に含むように、検索結果を変換し、提示しても良い。
【００９４】
また、いろいろなカテゴリを表示する場合は、その中でも上位に持ってくるカテゴリはユーザの趣向を反映できるように、検索結果を変換し、提示しても良い。なお、趣向の反映方法は、予め個人の趣向を登録する方法でもよいし、検索履歴を反映する方法でもよい。
【００９５】
［第２実施形態］
第２実施形態におけるサイト検索システムの構成を図９に基づいて説明する。
【００９６】
図１におけるサイト検索システムの構成に加え、サイト検索サービス用データベース３にユーザの目的志向度を判定するための目的志向度データベース（目的志向度データ管理部）３３を備える。
【００９７】
第２実施形態における目的志向度の算出方法を図１０，図１１に基づいて説明する。
【００９８】
まず、検索キーワード入力部１１が、検索キーワードを入力する（Ｓ６０１）。
【００９９】
移動体端末１のキーワード入力時間測定部１２が検索サイト（サーバ２）を表示したときの開始時刻を時刻γ、キーワード入力場所獲得部１３が表示したときの開始位置を位置γを取得する（Ｓ６０２，Ｓ６０３）（Ｓ５０１）。
【０１００】
移動体端末１のキーワード入力時間測定部１２が、検索キーワードを入力したときの入力時刻を時刻δ、キーワード入力場所獲得部１３が検索キーワードを入力したときの位置を入力位置δとして取得し（Ｓ６０２，Ｓ６０３）、検索情報送信部１４が検索キーワードと開始位置，開始時刻，入力位置，入力時刻を含む文字入力状況をサーバ２へ送信する（Ｓ５０２，Ｍ３０１）。
【０１０１】
サーバ２は、検索キーワードと文字入力状況を検索情報受信部２１で受信すると、目的志向算出部２２が、目的志向度を算出するため、予め利用者データベース３１に格納された利用者Ｂの位置Ｂ（例えば、自宅）を読み出し（Ｍ３０２）、受信した文字入力状況の入力位置が位置Ｂと等しいか否かを判断する（Ｓ５０３，Ｓ６０４）。
【０１０２】
入力位置が位置Ｂ（自宅）と等しい場合、利用者Ｂの移動体端末１の現在位置を「位置Ｂ（自宅）」と設定し（Ｓ５０４，Ｓ６０４）、ステップＳ５０８へ進む。入力位置が位置Ｂ（自宅）と等しくない場合（即ち、利用者Ｂが自宅以外に居る場合）、ステップＳ５０５へ進む。
【０１０３】
ステップＳ５０５（，Ｓ６０４）では、目的志向算出部２２が、入力位置と開始位置が特定条件を満たす否かを判断する。例えば、入力位置と開始位置との差分が特定距離（例えば、１０ｋｍ（キロメートル））を超えた場合、利用者Ｂの移動体端末１の現在位置を「外出先」と設定し（Ｓ５０６）、ステップＳ５０８へ進む。その差分が特定距離を超えない場合、利用者Ｂの移動体端末１の現在位置を「移動中」と設定し（Ｓ５０７，Ｓ６０４）、ステップＳ５０８へ進む。なお、入力位置と開始位置には、例えば、ＧＰＳ情報と地図情報を組合せ、駅付近、空港付近、ショッピングモール内といった詳しい位置情報を利用してもよい。
【０１０４】
ステップＳ５０８（，Ｓ６０５）では、目的志向算出部２２が、検索キーワード，現在位置，入力時刻（時刻δ）基づき，検索語データベース３２，目的志向度データベース３３を使って目的志向度を判定する。より具体的には、検索キーワードのカテゴリを検索語データベース３２との一致検索によって取得し（Ｍ３０３）、取得した分類，入力時刻，現在位置を、目的志向度データベース（例えば、図１２のような目的志向度データベース３３）と一致検索して（Ｍ３０４）、目的志向度を判別し設定する。図１２は、検索キーワードのカテゴリ（分類）を示す検索語カテゴリＣ３１，時間Ｃ３２，位置Ｃ３３，目的志向度Ｃ３４を有する目的志向度データで構成される。
【０１０５】
例えば、検索キーワードが「レストラン」であった場合、図６の検索語データベース３２に基づいて、分類Ｃ１２が「店名」を取得できる。取得した分類「店名」，入力時刻「８：００」，現在位置「駅」とした場合、それぞれ図１２中の検索カテゴリＣ３１，時間Ｃ３２，位置Ｃ３３に対応させて判別すると、目的志向度Ｃ３４は「高」であり、目的志向度は「高」に設定される。なお、目的志向度の判別基準とする組合せは、検索語と検索を行なった場所のみ、あるいは検索語と検索を行なった時刻のみでも構わない。
【０１０６】
なお、図１２中の目的志向度データベース３３における時間Ｃ３３には、個人の生活時間（起床もしくは就寝時刻、出社もしくは帰宅時刻）を反映してもよい。
【０１０７】
次に、検索部２３が検索キーワードに基づいて検索を行い、検索結果を取得し、検索結果送信部２４が判別した目的志向度に応じた方法で検索結果を変換し（Ｓ６０６）、検索結果送信部２４が変換した検索結果を移動体端末１へ送信する（Ｍ３０５）。
【０１０８】
そして、検索結果受信部１５がサーバ２からの検索結果を受信し、検索結果提示部１６が検索結果を表示する（Ｓ６０７）。
【０１０９】
［第３実施形態］
第３実施形態におけるサイト検索システムの構成を図１３に基づいて説明する。
【０１１０】
図９におけるサイト検索システムの構成に加え、サイト検索サービス用データベース３の更新などを管理するサイト検索サービス用データベース管理部２５を備え、さらに、サイト検索サービス用データベース３にユーザの検索行動に関する履歴情報を管理する検索行動履歴データベース（検索行動履歴データ管理部）３４を備える。
【０１１１】
第３実施形態における目的志向度の算出方法を図１４に基づいて説明する。図１４は、時刻，位置の情報に加え、個人の検索行動履歴から目的志向度を算出する方法を示すフローチャートである。第３実施形態における目的志向度の算出方法を目的志向度の計算に個人の検索行動履歴を反映しつつ目的志向度を算出する。
【０１１２】
まず、検索キーワード入力部１１が、検索キーワードを入力する。
【０１１３】
移動体端末１のキーワード入力時間測定部１２が検索サイト（サーバ２）を表示したときの開始時刻を時刻γ、キーワード入力場所獲得部１３が表示したときの開始位置を位置γを取得する（Ｓ７０１）。
【０１１４】
移動体端末１のキーワード入力時間測定部１２が、検索キーワードを入力したときの入力時刻を時刻δ、キーワード入力場所獲得部１３が検索キーワードを入力したときの位置を入力位置δとして取得し、検索情報送信部１４が検索キーワードと開始位置，開始時刻，入力位置，入力時刻を含む文字入力状況をサーバ２へ送信する（Ｓ７０２）。
【０１１５】
次に、検索キーワードと文字入力状況を検索情報受信部２１で受信すると、目的志向算出部２２が、目的志向度を算出する。続いて、検索部２３が検索キーワードに基づいて検索を行い、検索結果（例えば、ＨＴＭＬ（ＨｙｐｅｒＴｅｘｔ  Ｍａｒｋｕｐ  Ｌａｎｇｕａｇｅ）データで構成された検索結果）を取得し、検索結果送信部２４が判別した目的志向度に応じた方法で検索結果を変換し、さらに、求める検索結果を見つけたか否かを返信するための表示情報（例えば、ＨＴＭＬのラジオボタンで表現された情報），検索キーワード，入力時刻，入力位置，目的志向度を検索結果に追加し、検索結果送信部２４が該検索結果を移動体端末１へ送信する（Ｓ７０３）。
【０１１６】
次に、検索結果受信部１５がサーバ２からの検索結果を受信し、検索結果提示部１６が検索結果を表示する（Ｓ７０４）。表示された画面には、求める検索結果を見つけたか否かを返信するための表示がなされているものとする。
【０１１７】
次に、求める検索結果を見つけたか否かを示す検索成否情報を、利用者が移動体端末１からユーザインタフェース部を使って入力し、移動体端末１の通信部が該検索成否情報と検索結果に含まれる検索キーワード，入力時刻，入力位置，目的志向度を送信する（Ｓ７０５）。
【０１１８】
そして、サーバ２は、検索成否情報，検索キーワード，入力時刻，入力位置，目的志向度を通信部で受信し、サイト検索サービス用データベース管理部２５が、検索成否情報が「見つかった」であった場合、検索行動履歴データベース３４に、検索キーワード，入力時刻，入力位置，目的志向度を記録する。図１５は、検索行動履歴データベースの例であって、図１５中の検索行動履歴データベース３４は、検索語Ｃ４１，日にちＣ４２，時間Ｃ４３，位置Ｃ４４，目的志向度Ｃ４５を有する検索行動履歴データから構成される。
【０１１９】
さらに、サーバ２のサイト検索サービス用データベース管理部２５は、図１５における検索行動履歴データを、検索語Ｃ４１に基づき、サーバ２の検索語データベース３２（例えば、図６における検索語データベース３２）の検索語カテゴリＣ１２で分類し、その分類された結果と、受信した入力時刻，入力位置，目的志向度に基づいて図１２中の目的志向度データベース３３に目的志向度データを追記していく（Ｓ７０６）。
【０１２０】
なお、同じ検索カテゴリ、時間、位置にて、異なる目的志向度を追記する場合は、予め「見つかった」を入力した回数も図１２の目的志向度データベース３３に記録し、多いほうを採用しても良い。
【０１２１】
また、検索成否情報を、利用者が入力するのではなく、閲覧した検索結果サイトとそのサイトでの閲覧時間から判別してもよい。
【０１２２】
以上のように、第３実施形態によれば、図１２に示した目的志向度データベースを、記録された検索行動に基づいて書き換えて行くことによって、個人毎の行動、趣向に基づいた検索結果を表示できる。
【０１２３】
［第４実施形態］
第４実施形態におけるサイト検索システムの構成を図１６に基づいて説明する。図１６のサイト検索システムは、ユーザが移動体端末で直接入力する目的志向度によって検索結果提示方法を変更するサイト検索システムの構成図であって、
図１６中のサイト検索システムは、利用者の移動体端末４およびサイト検索サービス用サーバ５で構成され、それらは、通信回線（例えば、携帯電話網やインターネット等のネットワーク）で接続され、各々通信を行う。
【０１２４】
利用者の移動体端末４は、ユーザインタフェース部（図示省略；後述する）を使って、ユーザの検索するキーワードを入力する検索キーワード入力部４１，ユーザインタフェース部（図示省略；後述する）を使って、ユーザの目的志向度を入力する目的志向度入力部４２，通信部（図示省略；後述する）を使って送信する検索情報送信部４３，通信部（図示省略；後述する）を使って受信する検索結果受信部４４，ユーザインタフェース部（図示省略；後述する）を使って、検索結果を提示（もしくは表示）する検索結果提示部４５，メモリやハードディスクドライブ装置などを含み、移動体端末４で使用する情報やデータを記憶し管理する記憶部（図示省略），ポインティングデバイスやキーボード装置やディスプレイ装置などを含み、ユーザインタフェースを提供するユーザインタフェース部（図示省略），ネットワークインタフェース装置などを含む通信部（図示省略），ＣＰＵやＯＳなどを含み、各部を制御する制御部（図示省略）を備える。
【０１２５】
サイト検索サービス用サーバ（以下、単にサーバという）５は、通信部（図示省略；後述する）を使って受信する検索情報受信部５１，ネットワーク上のサイト（例えば、Ｗｅｂサイト）を検索する検索部５２，通信部（図示省略；後述する）を使って送信する検索結果送信部５３，メモリやハードディスクドライブ装置などを含み、サーバ５で使用する情報やデータを記憶し管理する記憶部（図示省略），ネットワークインタフェース装置などを含通信部（図示省略），ＣＰＵやＯＳなどを含み、各部を制御する制御部（図示省略）を備える。
【０１２６】
第４実施形態におけるサイト検索システムにおける検索結果提示方法を図１６に基づいて説明する。
【０１２７】
まず、利用者の移動体端末４の検索キーワード入力部４１は入力された検索キーワードを、目的志向度入力部４２は入力された目的志向度を取得する。
【０１２８】
次に、検索情報送信部４３は前記検索キーワード，目的志向度をサイト検索サービス用サーバ５に送信する。
【０１２９】
次に、サーバ５は、前記検索キーワード，目的志向度を検索情報受信部５１を使って受信する。
【０１３０】
次に、検索部５２は、前記検索キーワードに基づいて検索を行ない、検索結果を取得する。
【０１３１】
次に、検索結果送信部５３は、取得した検索結果を、受信した目的志向度に応じた検索結果に変換する。
【０１３２】
次に、検索結果送信部５３が、変換した検索結果を移動体端末４に送信する。
【０１３３】
そして、検索結果受信部４４は、サーバ５から検索結果を受信し、検索結果提示部４５が、受信した検索結果をユーザインタフェース部を使って提示する。
【０１３４】
なお、第１乃至第４実施形態のサイト検索システム（あるいは、サイト検索サービス用サーバ）における各部の一部もしくは全部の機能をコンピュータのプログラムで構成し、そのプログラムをコンピュータを用いて実行して本発明を実現することができること、第１乃至第４実施形態のサイト検索システム（あるいは、サイト検索サービス用サーバ）に関する方法（手順）をコンピュータのプログラムで構成し、そのプログラムをコンピュータに実行させることができることは言うまでもなく、コンピュータでその機能を実現するためのプログラムを、そのコンピュータが読み取り可能な記録媒体（記憶媒体）、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、リムーバブルディスクなどに記録して、保存したり、配布したりすることが可能である。また、上記のプログラムをインターネットや電子メールなど、ネットワークを通して提供することも可能である。
【０１３５】
さらに、上述の第１乃至第４実施形態のサイト検索システム（あるいは、サイト検索サービス用サーバ）に関する方法を記述したコンピュータプログラムを、その方法に必要とされる入出力データを格納したメモリや外部記憶部等にアクセスするように実装してもよい。
【０１３６】
以上、本発明の実施形態について説明したが、本発明は説明した実施形態に限定されるものでなく、各請求項に記載した範囲において各種の変形を行うことが可能である。
【０１３７】
例えば、第１乃至第４実施形態において、ユーザをサイト検索システムが認識するために、一般的なログイン手順を実行しても良い。
【図面の簡単な説明】
【０１３８】
【図１】第１実施形態におけるサイト検索システムの構成図。
【図２】第１実施形態における目的志向度を算出する処理を示すフローチャート。
【図３】第１実施形態におけるサイト検索システムが提供するサイト検索サービスのシーケンスチャート。
【図４】第１実施形態における検索結果の提示順位を決定する方法を示すフローチャート。
【図５】第１実施形態における検索結果の提示順位を決定する方法を示すシーケンスチャート。
【図６】検索語データベースの一例を示す図。
【図７】移動体端末で検索結果を表示した例であって、図７（ａ）は目的志向度が「高」である場合の検索結果表示、図７（ｂ）は目的志向度が「低」である場合の検索結果表示である。
【図８】サイトメタデータテーブルの一例を示す図。
【図９】第２実施形態におけるサイト検索システムの構成図。
【図１０】第２実施形態における目的志向度の算出方法を示すフローチャート。
【図１１】第２実施形態における目的志向度の算出方法を示すシーケンスチャート。
【図１２】目的志向度データベースの一例を示す図。
【図１３】第３実施形態におけるサイト検索システムの構成図。
【図１４】第３実施形態における目的志向度の算出方法を示すフローチャート。
【図１５】検索行動履歴データベースの一例を示す図。
【図１６】第４実施形態におけるサイト検索システムの構成図。
【図１７】ユーザが閲覧した結果のページ数に関する調査結果を示すグラフ。
【図１８】見つからなかったときのユーザの行動に関する調査結果を示すグラフ。
【図１９】移動中のユーザの検索目的に関する調査結果を示すグラフ。
【図２０】ユーザの自宅での検索目的に関する調査結果を示すグラフ。
【符号の説明】
【０１３９】
１…移動体端末
２…サイト検索サービス用サーバ
３…サイト検索サービス用データベース
４…移動体端末
５…サイト検索サービス用サーバ
１１…検索キーワード入力部
１２…キーワード入力時間測定部
１３…キーワード入力場所獲得部
１４…検索情報送信部
１５…検索結果受信部
１６…検索結果提示部
２１…検索情報受信部
２２…目的志向度算出部
２３…検索部
２４…検索結果送信部
２５…サイト検索サービス用データベース管理部
３１…利用者データベース
３２…検索語データベース
３３…目的志向度データベース
３４…検索行動履歴データベース
４１…検索キーワード入力部
４２…目的志向度入力部
４３…検索情報送信部
４４…検索結果受信部
４５…検索結果提示部
５１…検索情報受信部
５２…検索部
５３…検索結果送信部
Ｃ１１…検索キーワード
Ｃ１２…分類
Ｃ２１…サイト名
Ｃ２２…カテゴリ
Ｃ２３…電話番号の有無情報
Ｃ２４…地図の有無情報
Ｃ３１…索語カテゴリ
Ｃ３２…時間
Ｃ３３…位置
Ｃ３４…目的志向度
Ｃ４１…検索語
Ｃ４２…日にち
Ｃ４３…時間
Ｃ４４…位置
Ｃ４５…目的志向度
Ｇ１〜Ｇ４…利用実態調査結果を示すグラフ
Ｒ１，Ｒ２…検索結果表示
Ｔ１…サイトメタデータテーブル
【図１】
2009110466.tif 000003
【図２】
2009110466.tif 000004
【図３】
2009110466.tif 000005
【図４】
2009110466.tif 000006
【図５】
2009110466.tif 000007
【図６】
2009110466.tif 000008
【図７】
2009110466.tif 000009
【図８】
2009110466.tif 000010
【図９】
2009110466.tif 000011
【図１０】
2009110466.tif 000012
【図１１】
2009110466.tif 000013
【図１２】
2009110466.tif 000014
【図１３】
2009110466.tif 000015
【図１４】
2009110466.tif 000016
【図１５】
2009110466.tif 000017
【図１６】
2009110466.tif 000018
【図１７】
2009110466.tif 000019
【図１８】
2009110466.tif 000020
【図１９】
2009110466.tif 000021
【図２０】
2009110466.tif 000022